(57)【特許請求の範囲】
【請求項１】
マルチチャネルの測定装置により測定される磁場に含まれる場の成分を調整する方法であって、前記測定装置は、一連の測定センサ及びデータ処理ロジックを含み、前記方法は、
ＳＳＳ法により、第１の算出された信号部分空間が有益な信号の一次独立な信号基底の信号成分のベクトルを表し、第２の算出された信号部分空間が干渉信号の一次独立な信号基底の信号成分のベクトルを表す２つの算出された信号部分空間を生成するステップを含み、
前記方法は、さらに、
前記有益な信号発生源なしで前記干渉信号のマルチチャネルの磁界を測定するステップと、
前記干渉信号の前記磁界からの干渉及び／又は不正確に機能する信号チャネルによる前記干渉信号の最も強い形態を求めるステップと、
前記干渉信号の前記最も強い形態を加えることにより、前記第２の算出された信号部分空間を調整するステップと、
調整された前記信号部分空間による前記ＳＳＳ法の使用を継続することにより前記有益な信号を求めるステップと、含むことを特徴とする方法。
【請求項２】
前記方法は、さらに、前記最も強い形態の干渉信号における前記干渉信号の測定された前記磁界の成分を含めるステップであって、このような成分を表すベクトルに関連する前記信号の強度が所望の閾値を超える、ステップを含むことを特徴とする請求項１に記載の方法。
【請求項３】
前記方法は、さらに、
前記干渉信号の前記信号部分空間の測定された成分の少なくとも１つを、前記第２の算出された信号部分空間の前記成分に加えるステップと、
生成され調整された信号部分空間の成分が一次独立な基底を共に形成するように、補完された第２の信号部分空間の成分を結合するステップと、を含むことを特徴とする請求項１又は２に記載の方法。
【請求項４】
前記方法は、さらに、検査中の前記信号部分空間の成分に対して特異値分解を算出することにより結合を行うステップを含むことを特徴とする請求項３に記載の方法。
【請求項５】
前記方法は、さらに、
正確に表される信号成分及び他のチャネルから外れた不正確な信号成分を含むように不正確に機能する信号チャネルの信号を分割するステップと、
前記信号チャネルから、前記干渉信号の測定された部分空間の不正確な信号成分のみを含めるステップと、を含むことを特徴とする請求項１から４のいずれか一項に記載の方法。
【請求項６】
前記方法は、さらに、少なくとも１つの不正確に機能する信号チャネルが、前記干渉信号の前記測定された部分空間に含まれた後に、算出された前記信号部分空間をリスパンするステップを含むことを特徴とする請求項５に記載の方法。
【請求項７】
前記方法は、さらに、前記第２の算出された信号部分空間に対応する手法で、行われた磁場測定に基づいて生成された前記第１の算出された信号部分空間への調整を求めるステップ含むことを特徴とする請求項１から６のいずれか一項に記載の方法。
【請求項８】
磁場を測定し、かつ前記磁場に含まれる場の成分を調整するように構成されるマルチチャネル測定装置であって、
一連の測定センサ（２２）と、
ＳＳＳ法により、第１の算出された信号部分空間が有益な信号の一次独立な信号基底の信号成分のベクトルを表し、第２の算出された信号部分空間が干渉信号の一次独立な信号基底の信号成分のベクトルを表す２つの算出された信号部分空間を生成するように構成されるデータ処理ロジックと、を含み、
前記マルチチャネル測定装置は、さらに、前記有益な信号発生源なしで前記干渉信号のマルチチャネルの磁界を測定するように構成され、
前記データ処理ロジックは、さらに、
前記干渉信号の前記磁界からの干渉及び／又は不正確に機能する信号チャネルによる前記干渉信号の最も強い形態を求め、
前記干渉信号の前記最も強い形態を加えることにより、前記第２の算出された信号部分空間を調整し、
調整された前記信号部分空間による前記ＳＳＳ法の使用を継続することにより前記有益な信号を求めるように構成されることを特徴とする測定装置。
【請求項９】
前記測定装置の前記データ処理ロジックは、さらに、前記最も強い形態の干渉信号における前記干渉信号の測定された前記磁界の成分を含めるステップであって、このような成分を表すベクトルに関連する前記信号の強度が所望の閾値を超える、ように構成されることを特徴とする請求項８に記載の測定装置。
【請求項１０】
前記測定装置の前記データ処理ロジックは、さらに、
前記干渉信号の前記信号部分空間の測定された成分の少なくとも１つを、前記第２の算出された信号部分空間の前記成分に加え、
生成され調整された信号部分空間の成分が一次独立な基底を共に形成するように、補完された第２の信号部分空間の成分を結合するように構成されることを特徴とする請求項８又は９に記載の測定装置。
【請求項１１】
前記測定装置の前記データ処理ロジックは、さらに、検査中の前記信号部分空間の成分に対して特異値分解を算出することにより結合を行うように構成されることを特徴とする請求項１０に記載の測定装置。
【請求項１２】
前記測定装置の前記データ処理ロジックは、さらに、
正確に表される信号成分及び他のチャネルから外れた不正確な信号成分を含むように不正確に機能する信号チャネルの信号を分割し、
前記信号チャネルから、前記干渉信号の測定された部分空間の不正確な信号成分のみを含めるように構成されることを特徴とする請求項８から１１のいずれか一項に記載の測定装置。
【請求項１３】
前記測定装置の前記データ処理ロジックは、さらに、少なくとも１つの不正確に機能する信号チャネルが、前記干渉信号の前記測定された部分空間に含まれた後に、算出された前記信号部分空間をリスパンするように構成されることを特徴とする請求項１２に記載の測定装置。
【請求項１４】
前記測定装置の前記データ処理ロジックは、さらに、前記第２の算出された信号部分空間に対応する手法で、行われた磁場測定に基づいて生成された前記第１の算出された信号部分空間への調整を求めるように構成されることを特徴とする請求項８から１３のいずれか一項に記載の測定装置。
【請求項１５】
マルチチャネル測定装置により測定された磁界に含まれる場の成分を調整するコンピュータプログラムであって、前記マルチチャネル測定装置は、一連の測定センサ及びデータ処理ロジックを含み、
前記コンピュータプログラムは、前記データ処理ロジックを実行したときに、ＳＳＳ法により、第１の算出された信号部分空間が有益な信号の一次独立な信号基底の信号成分のベクトルを表し、第２の算出された信号部分空間が干渉信号の一次独立な信号基底の信号成分のベクトルを表す２つの算出された信号部分空間を生成するステップを実行するように構成されるプログラムコードを含み、
前記コンピュータプログラムは、さらに、
前記有益な信号発生源なしで前記干渉信号のマルチチャネルの磁界を測定するステップと、
前記干渉信号の前記磁界からの干渉及び／又は不正確に機能する信号チャネルによる前記干渉信号の最も強い形態を求めるステップと、
前記干渉信号の前記最も強い形態を加えることにより、前記第２の算出された信号部分空間を調整するステップと、
調整された前記信号部分空間による前記ＳＳＳ法の使用を継続することにより前記有益な信号を求めるステップと、を実行するように構成されることを特徴とするコンピュータプログラム。
【請求項１６】
前記コンピュータプログラムは、データ処理ロジック読み取り可能な媒体に記憶されることを特徴とする請求項１５に記載のコンピュータプログラム。
【発明の詳細な説明】
【技術分野】
【０００１】
本発明は、このような方法を適用するマルチチャネル測定装置における磁気画像化方法に関し、特に、このようなマルチチャネル測定方法の精度を向上することに関する。
【背景技術】
【０００２】
特に医療研究の分野では、組織構造及び脳信号の分析に各種の画像化方法が用いられる。異なる用途において用いられる方法は、磁気共鳴画像化（ＭＲＩ）、単に磁気画像化と称され、体の異なる部位に適用可能であり、脳磁図画像化（ＭＥＧ）は、脳の電気的な活動により生成される磁場の測定及び分析を意味する。
【０００３】
画像化方法では、大きな一連の測定チャネル及び関連する測定センサが必要であることが通常である。センサは、非常に雑音が少なく、測定される物体に近接して位置する必要がある。磁場を測定する測定センサの通常の雑音レベルは、数フェムトテスラの大きさである。測定される磁束密度が非常に小さく（例えば、１０．．．１０００ｆＴの大きさ）、測定状況において支配的な外部干渉場が１．．．１０μΤの大きさのように磁束密度に対して非常に大きいことが測定状況の特性である。測定信号全体の異なる干渉信号の部分の推定及び測定結果からの干渉の影響の除去は、よって、マルチチャネル生体磁気測定方法において非常に重要である。
【０００４】
従来では、干渉は、例えば、実際の一連の測定センサからわずかに離れた位置にある、いわゆる干渉センサアセンブリを用いることにより補償されてきた。このような干渉センサは、外部干渉の一部のみを示し、測定される人体から生じる有益な信号の事実上全てではない信号を測定する。そして、干渉信号は、実際のアセンブリにより測定された信号から離れて単に減少又は射影されるだけでありうる。干渉信号方法による課題は、干渉が実際の生体磁気信号からわずかに離れて測定されることである。干渉場が均一でない場合、特に一連の測定センサの領域内で、できるだけ良好な推定を得るように、干渉場データを外挿（ｅｘｔｒａｐｏｌａｔｅ）する必要がある。
【０００５】
他の既知の方法は、測定された干渉場情報の基底での一連の測定センサの領域における干渉を補償する磁場を生成するために、測定サイトの近傍に位置する一連のコイルを補償することを用いることである。この方法の課題は、各測定センサの領域において現れる干渉が、非均一な干渉場の場合であってもセンサに特化して消去されうるような手法で補償する場を生成することである。
【０００６】
第３の従来の方法は、磁気遮蔽室（ＭＳＲ）内に測定センサを配置することであり、ここで、環境から生じる干渉は、非常に減衰されうる。遮蔽室は、通常、干渉信号が、このような構造で大きな周波数帯にわたって実質的に減衰されるような手法で構築された多層金属層（例えば、アルミに得る又は適切な金属合金が用いられうる）からなる。遮蔽室は、所望のサイトに固定して建設されうる。これは、非常に高額である、又は構造的に軽く、かつ所望の空間の要素から建設され、必要があれば、後に新しい場所へ移動可能である。干渉の影響を最小化する遮蔽室の課題は、遮蔽室自体の壁が、磁性材料を含みうることであり、それにより、磁気干渉信号の独立な発生源として機能しうることである。軽い遮蔽室は、付加的に振動の影響を受けやすくなり、付加的に磁気発生源をさらに生成しうる。恐らく、遮蔽室の最も重要な制限は、しかし、遮蔽室の壁が、遮蔽室内から生成される干渉を減衰しないことである。これは、特に医療のＭＥＧの研究で非常に大きな問題となる。
【０００７】
測定された信号を用いた計算方法は、いわゆる信号空間分離法（Ｓｉｇｎａｌ  Ｓｐａｃｅ  Ｓｅｐａｒａｔｉｏｎ  ｍｅｔｈｏｄ（ＳＳＳ法））であり、例えば、フィンランド国特許ＦＩ１１５３２４号に説明されている。ＳＳＳ法は、現在、この分野で多く用いられている。これは、発生源の位置に基づいて、マルチチャネル測定信号情報を各種の信号基底、すなわち、互いに一次独立である部分空間に分離する計算方法である。ＳＳＳは、純粋にセンサアセンブリの形状（ｇｅｏｍｅｔｒｙ）及び自然法則に基づく。ＳＳＳの原理に基づく計算、電磁気の関係を示すマクスウェルの方程式から開始される。ＳＳＳ法では、有益な発生源（脳のような）及び外部干渉発生源から生じる磁場により生成される磁場を分離することが可能である。換言すれば、級数展開は、異なるサイト位置する発生源に基づく分離を用いてＳＳＳ法で算出される。これは、求められる磁場が渦無し（ｉｒｒｏｔａｔｉｏｎａｌ）かつ発生源無し（ｓｏｕｒｃｅｌｅｓｓ）であるボリューム（ｖｏｌｕｍｅ）におけるマルチチャネル測定信号のための発生源モデリング法として示される。ＳＳＳ法は、異なる信号発生源のタイプ又は位置についてのさらなる情報を必要としないが、信号発生源が異なるタイプの場合、また、発生源の位置及び／又は強度が変化するときに、時間の関数として検査された場合、正確に機能する。ＳＳＳ法に基づく計算では、よって、センサアセンブリの形状は、重要な役割を果たす。形状（ｇｅｏｍｅｔｒｙ）についてもまた、磁場が方向に依存する量であるため、配置に加えて、センサの一部が測定された信号の影響を受けるという事実がある。ここではセンサの較正とは、算出ロジックが、非常に正確なセンサの配置及び位置についての情報を有する、つまり、計算を用いた推定と実世界の状況とができるだけ正確に求められることを意味する。較正情報が求められたとき、有益な信号及びさらにそれに基づくより正確な分析結果についての情報をより正確に得るために、センサの較正は、計算中に観測されうる。ＳＳＳ法に関しては、干渉により形成される算出された部分空間が、測定結果に基づいて生成され、この情報に基づいて、所望の生体磁気信号がより正確にアクセスされることが提示されうる。
【０００８】
方法又は装置の遮蔽因子とは、外部干渉が所望の方法又は装置により減衰されうる空間を意味する。通常のＭＥＧ装置のデフォルト設定により、約２０の次数の遮蔽因子がＳＳＳ法により達する、すなわち、ＳＳＳ法の算出アルゴリズムを適用するＭＥＧ装置を用いて、外部干渉は、ＳＳＳ法を用いない場合と比較して、約１／２０に減衰されうる。いわゆる細密な較正（ｆｉｎｅ  ｃａｌｉｂｒａｔｉｏｎ）の後、ＳＳＳ法の遮蔽因子は、通常、１００．．．１５０の値に増加する。
【０００９】
ＳＳＳ法の利点は、時間及び場所に関わらず全ての干渉を観察することを含むことである。較正が各サンプルに対して独立になされるため、干渉信号が測定領域、つまり、遮蔽室の内側又は外側で変化するかどうかに関わらず、変化する状況を観察する。ＳＳＳ法の課題は、上述した較正の誤差に影響を受けやすいことである、すなわち、例えば、センサの１つにより測定される信号偏移は、干渉に依存しないが、センサの位置の小さな認識されない偏移に依存する。
【００１０】
ＳＳＳ法は、観察された干渉部分空間、つまり、測定された信号から問題中の次数を除去することによる要素を射影することに基づく、いわゆる射影法（ｐｒｏｊｅｃｔｉｏｎ  ｍｅｔｈｏｄ）（“信号空間射影”（“Ｓｉｇｎａｌ  Ｓｐａｃｅ  Ｐｒｏｊｅｃｔｉｏｎ”）を意味する。ＳＳＰ法の原理は、例えば、Ｕｕｓｉｔａｌｏ，  Ｉｌｍｏｎｉｅｍｉ：  “Ｓｉｇｎａｌ−ｓｐａｃｅ  ｐｒｏｊｅｃｔｉｏｎ  ｍｅｔｈｏｄ  ｆｏｒ  ｓｅｐａｒａｔｉｎｇ  ＭＥＧ  ｏｒ  ＥＥＧ  ｉｎｔｏ  ｃｏｍｐｏｎｅｎｔｓ”，  Ｍｅｄｉｃａｌ  ＆  Ｂｉｏｌｏｇｉｃａｌ  Ｅｎｇｉｎｅｅｒｉｎｇ  ＆  Ｃｏｍｐｕｔｉｎｇ  １３５−１４０，  １９９７で説明されている。干渉信号は、通常、測定される物体が測定される空間から除去された状況で、すなわち、装置の内部に患者がいない状態で測定するためにＭＥＧ装置を設定することにより、測定されうる、この場合、環境から排他的に生じる磁気干渉信号は、その特定の試験の時点で装置のセンサにより測定されうる。この後、簡素化された手法で表される、最も重要な干渉要素（ベクトルとして考えうる）は、測定された干渉信号及び信号から求められ、有益な測定物体を含む状況での測定された信号は、前記干渉に対して直交する方向でのこの算出の後に、射影される。この場合、干渉の最も本質的な形態は、実際に測定された信号全体から除去されうる。ＳＳＰ法の欠点は、主干渉の方向に完全に直交しない場合、検査中の有益な信号の一部もまた、射影されることである。射影法の別の欠点は、干渉部分空間が特定の時間の状況に基づいてのみ求められるため、干渉場における時間依存変化を観察できないことである。この場合、時間で変化する干渉発生源は、測定が再度開始された後には、正確に観察されない。ＳＳＰの利点は、センサの配置及び位置による較正誤差がこの方法により考慮されうることである。
【００１１】
従来技術の主な課題は、外部干渉発生源により生じる磁気干渉場が、ほぼ１００番目（１００ｔｈ）の部分のみで減衰されうることである。減衰された場合であっても、干渉場の大きさは、通常、測定される生体磁場と比べて非常に大きい。よって、何らかの方法で生体磁気マルチチャネル測定における外部干渉の影響を減衰させる必要が未だ存在する。
【００１２】
既に上記で述べたように、いわゆる軽い遮蔽室の使用もまた問題を引き起こす。遮蔽室自体が磁性材料を含む可能性に加えて、軽量の遮蔽室は、また、震動してもよく、これは、新たな磁気干渉発生源を構成しうる。
【発明の概要】
【発明が解決しようとする課題】
【００１３】
本発明の目的は、特にＭＥＧ及びＭＲＩ画像化装置によりなされる測定のようなマルチチャネル測定装置によりなされる測定での外部干渉発生源の影響を効果的に除去するための新たなタイプの方法を開示することである。本発明のさらなる目的は、上述した課題を改善することである。
【課題を解決するための手段】
【００１４】
本発明は、マルチチャネル測定装置により測定される磁場に含まれる場の成分を調整する方法を導入し、測定装置は、一連の測定センサ及びデータ処理ロジックを含む。本方法では、２つの算出された信号部分空間は、ＳＳＳ法により生成され、第１の算出された信号部分空間は、有益な信号の一次独立な信号基底の信号成分のベクトルを表し、第２の算出された信号部分空間は、干渉信号の一次独立な信号基底の信号成分のベクトルを表す。
【００１５】
本方法は、さらに、前記干渉信号のマルチチャネルの磁界が、前記有益な信号発生源なしで測定され、前記干渉信号の前記磁界からの干渉及び／又は不正確に機能する信号チャネルによる前記干渉信号の最も強い形態が求められ、前記干渉信号の前記最も強い形態を加えることにより、前記第２の算出された信号部分空間が調整され、調整された前記信号部分空間による前記ＳＳＳ法の使用を継続することにより前記有益な信号が求められることを特徴とする。
【００１６】
本発明の一実施形態では、前記最も強い形態の干渉信号における前記干渉信号の測定された前記磁界の成分を含められ、このような成分を表すベクトルに関連する前記信号の強度が所望の閾値を超える。
【００１７】
本発明の一実施形態では、前記干渉信号の前記信号部分空間の測定された成分の少なくとも１つが、前記第２の算出された信号部分空間の前記成分に加えられ、生成され調整された信号部分空間の成分が一次独立な基底を共に形成するように、補完された第２の信号部分空間の成分が結合される。
【００１８】
本発明の一実施形態では、検査中の前記信号部分空間の成分に対して特異値分解を算出することにより結合が行われる。
【００１９】
本発明の一実施形態では、正確に表される信号成分及び他のチャネルから外れた不正確な信号成分を含むように不正確に機能する信号チャネルの信号が分割され、前記信号チャネルから、前記干渉信号の測定された部分空間の不正確な信号成分のみが含められる。
【００２０】
本発明の一実施形態では、少なくとも１つの不正確に機能する信号チャネルが、前記干渉信号の前記測定された部分空間に含まれた後に、算出された前記信号部分空間が、リスパンされる。
【００２１】
本発明の一実施形態では、前記第２の算出された信号部分空間に対応する手法で、行われた磁場測定に基づいて生成された前記第１の算出された信号部分空間への調整が求められる。
【００２２】
本発明の第２の態様によれば、本発明の着想は、磁場を測定し、かつ前記磁場に含まれる場の成分を調整するように構成されるマルチチャネル測定装置を含む。前記測定装置は、一連の測定センサと、ＳＳＳ法により、第１の算出された信号部分空間が有益な信号の一次独立な信号基底の信号成分のベクトルを表し、第２の算出された信号部分空間が干渉信号の一次独立な信号基底の信号成分のベクトルを表す２つの算出された信号部分空間を生成するように構成されるデータ処理ロジックと、を含む。
【００２３】
前記測定装置は、さらに、前記有益な信号発生源なしで前記干渉信号のマルチチャネルの磁界を測定するように構成され、前記データ処理ロジックは、さらに、前記干渉信号の前記磁界からの干渉及び／又は不正確に機能する信号チャネルによる前記干渉信号の最も強い形態を求め、前記干渉信号の前記最も強い形態を加えることにより、前記第２の算出された信号部分空間を調整し、調整された前記信号部分空間による前記ＳＳＳ法の使用を継続することにより前記有益な信号を求めるように構成されることを特徴とする。
【００２４】
本発明の一実施形態では、前記データ処理ロジックは、さらに、前記最も強い形態の干渉信号における前記干渉信号の測定された前記磁界の成分を含めるステップであって、このような成分を表すベクトルに関連する前記信号の強度が所望の閾値を超える、ように構成される。
【００２５】
本発明の一実施形態では、前記データ処理ロジックは、さらに、前記干渉信号の前記信号部分空間の測定された成分の少なくとも１つを、前記第２の算出された信号部分空間の前記成分に加え、生成され調整された信号部分空間の成分が一次独立な基底を共に形成するように、補完された第２の信号部分空間の成分を結合するように構成される。
【００２６】
本発明の一実施形態では、前記データ処理ロジックは、さらに、検査中の前記信号部分空間の成分に対して特異値分解を算出することにより結合を行うように構成される。
【００２７】
本発明の一実施形態では、前記データ処理ロジックは、さらに、正確に表される信号成分及び他のチャネルから外れた不正確な信号成分を含むように不正確に機能する信号チャネルの信号を分割し、前記信号チャネルから、前記干渉信号の測定された部分空間の不正確な信号成分のみを含むように構成される。
【００２８】
本発明の一実施形態では、前記データ処理ロジックは、さらに、少なくとも１つの不正確に機能する信号チャネルが、前記干渉信号の前記測定された部分空間に含まれた後に、算出された前記信号部分空間をリスパンするように構成される。
【００２９】
本発明の一実施形態では、前記データ処理ロジックは、さらに、前記第２の算出された信号部分空間に対応する手法で、行われた磁場測定に基づいて生成された前記第１の算出された信号部分空間への調整を求めるように構成される。
【００３０】
本発明の第３の態様によれば、本発明の着想は、さらに、マルチチャネル測定装置により測定された磁界に含まれる場の成分を調整するコンピュータプログラムであって、前記測定装置は、一連の測定センサ及びデータ処理ロジックを含む。前記コンピュータプログラムは、前記データ処理ロジックを実行したときに、ＳＳＳ法により、第１の算出された信号部分空間が有益な信号の一次独立な信号基底の信号成分のベクトルを表し、第２の算出された信号部分空間が干渉信号の一次独立な信号基底の信号成分のベクトルを表す２つの算出された信号部分空間を生成するステップを実行するように構成されるプログラムコードを含む。
【００３１】
特徴的なフィーチャーとして、前記コンピュータプログラムは、さらに、前記有益な信号発生源なしで前記干渉信号のマルチチャネルの磁界を測定するステップと、前記干渉信号の前記磁界からの干渉及び／又は不正確に機能する信号チャネルによる前記干渉信号の最も強い形態を求めるステップと、前記干渉信号の前記最も強い形態を加えることにより、前記第２の算出された信号部分空間を調整するステップと、調整された前記信号部分空間による前記ＳＳＳ法の使用を継続することにより前記有益な信号を求めるステップと、を実行するように構成される。
【００３２】
本発明の一実施形態では、前記コンピュータプログラムは、データ処理ロジック読み取り可能な媒体に記憶される。
【００３３】
本発明の最も重要な利点の１つは、ＭＥＧ測定で一般的に使用されるＳＳＳ法の遮蔽因子が本発明により、通常、最適化されたデフォルトの設定での１５０から、約１０００まで改善されうることである。これは、外部干渉の除去における追加の減衰が重要であり、干渉が非常に高い強度での状況で特に強調される。実際には、本発明の効果は、測定及び計算アルゴリズムを強化することにより厚くなるかのようなＭＥＧ測定構成を取り囲む遮蔽室を製造することと比較されることができ、振動することが少なくなるように安定化されることもできる。別の利点は、広い周波数帯での本方法により、有益な信号の測定結果における良好な精度が達成されることであり、例えば、０から２ｋＨｚの測定帯域が実際に使用され、これに関連して、約１／ｍｉｌの精度であり、高い周波数まで到達しうる。本発明の実践では、例えば、３０６個のチャネルを較正するような困難は無く、本発明の方法は、簡素かつ効果的な手法で較正誤差の除去を行う。本発明のさらに別の利点は、ＳＳＳ法の良好な特性が、新規で類を見ない手法で射影方法の有利な特徴と組み合わせられることである。
【図面の簡単な説明】
【００３４】
【図１ａ】図１ａは、本発明に係る方法の第１の例をフローチャートの形態で示す。
【図１ｂ】図１ｂは、本発明に係る方法の第２の例をフローチャートの形態で示す。
【図１ｃ】図１ｃは、本発明に係る方法の第３の例をフローチャートの形態で示す。
【図２ａ】図２ａは、測定された物体が、測定状況に存在する、ＭＥＧ装置の測定配置の一例を示す。
【図２ｂ】図２ｂは、干渉として考慮される発生源のみが測定される、ＭＥＧ装置の測定配置の一例を示す。
【図２ｃ】図２ｃは、測定及び算出から得られる結果のさらなる処理の一例を示す。
【図３ａ】図３ａは、ＭＥＧ測定で処理される干渉部分空間での本発明の効果の簡素化された例を図示する。
【図３ｂ】図３ｂは、ＭＥＧ測定で処理される有益な信号部分空間での本発明の効果の簡素化された例を図示する。
【発明を実施するための形態】
【００３５】
本発明の目的は、マルチチャネル測定装置により行われる測定方法を調整するステップを導入することであり、より詳細には、測定結果に現れる干渉により生じる部分空間を求めることであり、それによって、従来よりも明確に精度の高い、対象の有益な信号を求めることである。
【００３６】
本発明の原理の基本は、従来技術で導入され、上記でまとめられた、信号空間分離、すなわち、ＳＳＳ法である。１つの典型的な例で測定される数量は、磁場であり、すなわち、この場合に使用される用途は、ｍａｇｎｅｔｏｅｎｃｅｐｈａｌｏｇｒａｐｈｉｃ、すなわち、ＭＥＧ、装置である。ＳＳＳ法では、中心となる考え方は、マックスウェルの方程式及びセンサアセンブリについての情報を用いることにより、測定された信号の一部が、測定センサの内側から生じる対象の生体磁気信号であり、一部が、センサの外側から生じる外部干渉であることを示す結果を算出することができることである。すなわち、磁気多極モーメント、つまり、信号成分の重みは、有益な信号の一次独立な信号基底において、及び、同様に、干渉信号により形成される信号基底において、結果として算出されうる。リアルタイム方法となるには、ＳＳＳは、現在の支配的な干渉状況に適合する、つまり、ＳＳＳは、時間内に生じる、測定されたボリュームの内側又は外側の信号発生源の変化に関わらず、実際の支配的な磁場を常に測定する。ＳＳＳによりもたらされる結果は、しかし、上述した較正誤差により影響される、つまり、測定センサの感度、配置及び位置の不正確さ（想定した配置及び位置情報を実際の配置及び位置情報と比較する）が、ＳＳＳ法によりもたらされる結果に直接影響する。
【００３７】
本発明の一実施形態では、測定されたマルチチャネル信号は、先ず、従来から行われているようなＳＳＳ法での計算により処理される。この処理は、計算で求められる干渉により形成される信号部分空間である点で行われる。本発明は、ここで、従来技術で可能なものよりも非常に正確に実際の支配的な干渉空間に対応するような手法で、この推定された干渉空間の微調整に携わる。比喩的にいうと、干渉部分空間を示す“ベクトル”は、その方向に対してわずかに変化する。すなわち、新たな干渉成分は、算出された干渉部分空間に加えられ、ここで、合計値として表現される新たな干渉成分は、以前よりも非常に良くなった実際の支配的な干渉場情報に対応することが言える。さらに別の言い方で表現すると、従来技術の方法により得られる干渉モデルは、実際には存在するにもかかわらず、ある形態又は干渉の形態が欠如する点で不完全である。本発明は、この点において、この干渉モデルを改善することを目的とする。
【００３８】
以下の実施例では、３０６個のチャネルの信号セットを有する、つまり、使用されるＭＥＧ装置は、３０６個の測定チャネルを有するものと仮定する。ＳＳＳ法により動作において、場の成分は、所望の次数までの測定結果から算出される。場の成分は、各成分を生じる磁場の発生源の配置に基づいて分離されうる。発生源は、センサアセンブリの内側（脳信号）であってもよく、又はアセンブリのかなり外側（外部干渉発生源）であってもよい。
【００３９】
従来技術の一実施形態では、いわゆる上述した体積間での中間領域（ｉｎｔｅｒｍｅｄｉａｔｅ  ｓｐａｃｅ）の状態にある干渉発生源を分離することがさらに可能であり、ここで、一連の測定センサに非常に近接した状態にある対象とならない発生源は、検査に含まれる。いわゆる中間領域（ｉｎｔｅｒｍｅｄｉａｔｅ  ｓｐａｃｅ）の実施形態は、フィンランド国特許出願公開ＦＩ２００５０４４５号に記載されている。
【００４０】
ＳＳＳ法による動作において、測定センサは、磁気発生源を含まない体積（ｖｏｌｕｍｅ）に位置づけられる。実際には、最も近接する信号発生源からのセンサの距離は、少なくとも２から４ｃｍの大きさであり、ここで、一連のセンサにより測定される磁場及び所望の次数までのその勾配は、非常に整然と振る舞う、つまり、急激な局所的変化は生じない。すなわち、当該次数は、生体磁場の自由度を示し、かつ、振幅がセンサのノイズレベルを超える次数まで求められうる。
【００４１】
以下では、原点は、測定センサにより形成される領域の中心、つまり、脳信号の測定位置における頭部の中心と仮定される。測定ボリュームは、同心球殻により検査されうる、ここで、その半径は、適切に選択される。分割は、例えば、全ての有益な磁気発生源、つまり、ＭＥＧ測定の場合、検査中の患者の頭部が最も遠い球殻内に位置づけられるような手法でなされうる。次に、測定装置自体のセンサは、最も遠い球殻の外側の層に配置され、さらに、この層で発見されない磁気発生源を扱う。主に無限遠まで延びると定義されてもよい第３のボリュームに位置づけられるこの層は、外部磁気干渉の全ての発生源である。
【００４２】
場に関するポテンシャルは、いわゆる球面関数を適用するラプラスの方程式への解として解かれうる。このポテンシャルは、第１の級数展開が原点で発散し、第２の級数展開が無限大で発散する二つの級数展開の合計値として形成されうる。これは、第１の級数展開が、センサアセンブリ内の生体磁気発生源である磁気発生源に特徴付けられ、第２の級数展開が、最も外側に位置づけられる外部干渉発生源又は第３のボリュームに特徴付けられることを意味する。
【００４３】
この後、測定された磁場は、測定された信号全体が二つの一次結合の合計であるような手法で信号ベクトルにより表現され、二つの一次結合の両方は、適切な基底ベクトルで表される。数学的な表現では、
【数１】
0005894156.tif 000002
これは、行列の形態を与え：
【数２】
0005894156.tif 000003
【数３】
0005894156.tif 000004
【数４】
0005894156.tif 000005
【数５】
0005894156.tif 000006
【数６】
0005894156.tif 000007
【００４４】
上記の表記では、Ｓｉｎは、生体磁気信号を示す一連の基底ベクトルを示し、Ｓｏｕｔは、それぞれ、干渉信号を示す一連の基底ベクトルを示す。表記Ｘｉｎ及びｘｏｕｔは、場ベクトルΦを提供するために各Ｓの重み付け係数を事実上意味するいわゆる多極モーメントを示す。ＳＳＳ基底の次数、つまり、基底ベクトルの数は、以下のように求められうる：
【数７】
0005894156.tif 000008
【００４５】
例えば、Ｌｉｎ＝８及びＬｏｕｔ＝３ではｎ＝９５となる。Ｎ＞ｎ（Ｎはチャネルの数）のとき、一次独立なＳＳＳ基底が得られ、所望のボリュームの全ての測定可能な磁気信号をカバーする。
【００４６】
分離は、有益な信号基底をもたらし、干渉信号基底は、一義的であり、結果として推定された有益な信号となる。
【数８】
0005894156.tif 000009
ここで、ＰＩは、Ｓの一般逆行列、すなわち、数学的な表現では、ＳＰ１＝（ＳＴＳ）−１ＳＴを意味する。
【００４７】
ｘの精度は、Ｓの条件数及び一連のセンサの較正精度に依存する。これは、ＳＳＳ法がセンサアセンブリの形状についての直接情報に基づくためである。この後、生体磁気及び干渉発生源に対応する信号は、以下の手法で再構成される。
【数９】
0005894156.tif 000010
【数１０】
0005894156.tif 000011
ここで、φｉｎ及びφｏｕｔは、それぞれ、測定される物体又は外部干渉により生じる場ベクトルであり、各Ｓは、基底ベクトル又は部分空間を示し、各ｘは、多極モーメント、つまり、異なる基底ベクトルに対する事実上の重み付け係数である。
【００４８】
次に、干渉により形成され、かつＳＳＳ法により推定される場の部分φｏｕｔは、検査時に取得される。これまでは、この干渉空間は、信号全体から除去されるだけであり、センサアセンブリの較正が完璧だと仮定する、つまり、各センサの配置及び位置についての正確な情報が取得可能である。実際には較正誤差が常に存在するため、現実に好ましく対応する微調整されたφｏｕｔの可能性を有する。
【００４９】
よって、式（１０）に基づいて算出された干渉部分空間を有する場合、この推定された干渉部分空間は、以下のように本発明の一実施形態で調整されうる。簡略化のために、例えば、１５の計算された、３０６次ベクトル（ｂｉｍ）を有し、このステップでは、例えば、干渉部分空間への５つの３０６次ベクトルが加えられることができ、ここで、新たに合計された基底は微調整された干渉部分空間を示す。これら５つのベクトルの各々が、干渉部分空間に加えられた“小さな偏移（ｓｍａｌｌ  ｄｅｖｉａｔｉｏｎ）”を示すということができる。原理上は、同様の調整もまた、センサアセンブリの内側の基底ベクトルになされうるが、干渉部分空間の調整は、実際には、より重要な肯定である。なぜなら、干渉信号は、通常、有益な信号よりも感度が高いためである。
【００５０】
干渉ベクトル、つまり、加えられる小さな偏移は、例えば、射影方法の工程と同様の手法で測定された信号から求められうる。すなわち、較正誤差又はいくつかの他の理由が測定された信号から求められるため、最も強い干渉形態は、ＳＳＳにより求められるような、算出された干渉モデルには現れない。この測定は、実際に測定される物体なしでなされる、すなわち、例えば、ＭＥＧ測定は、患者が磁気遮蔽室に存在しない場合に行われうる。このように、いわゆる空の部屋に含まれる磁気部分空間は、正確に測定されうる。実際には、一連のベクトルが取得され、ゼロのノルムからは非常に大きく異なるものが取り上げられる。このステップは、例えば、既知の数学的処理である特異値分解を求めることにより行われうる。
【００５１】
上述した、加えられる干渉ベクトルの別のタイプの例としては、動作不能なチャネルの誤差信号の算出及びその影響の除去が述べられうる。このような誤差信号は、単に３０６次ベクトルとして干渉基底に加えられ、既知の不十分なチャネルは、１の値を有し、他のチャネルは、０の値を有する。この場合、不十分なチャネル及び他のチャネルから独立なチャネルに特有な誤差信号は、式中の加算されたベクトルによりモデル化され、他のチャネルは、いかなる信号バイアスも有さない。この処理は、また、不十分なチャネルにより提供される取り得る正確な信号の部分を損なわないという利点を有する。
【００５２】
さらに、干渉ベクトルの合計された基底が、冗長なベクトル、つまり、例えば、互いに一次従属な二つの同じベクトル又は二つの干渉成分ベクトルを有していないことが重要である。一次従属なベクトルが含まれる場合、さらに計算が不安定になる、つまり、解が一義的でない、又は全く無い。このステップでは、算出された干渉基底及び測定された干渉基底の結合は、合計された干渉ベクトルのセットが一次従属基底を形成するような手法でさらに処理される。同時に、干渉ベクトルの数は、通常、ＳＳＳ干渉基底のベクトルの数と射影法により延長された干渉基底のベクトルの数との間の数を有するように低減されうる。
【００５３】
ベクトルの数を特定するために、例えば、１０個の３０６次干渉ベクトルがＳＳＳ演算により生成されうる。この後、例えば、実質的にゼロから外れる５個の干渉ベクトルが射影法により求められる。その後、これらの二つのベクトルは、ＳＳＳ基底の二つの干渉ベクトルにより冗長であることが観察される。最終的に、３０６＊１３の大きさを有する干渉ベクトル行例が得られ、従来の方法により求めることができたものよりも実際の支配的な干渉空間に対応して著しく良くなる。
【００５４】
図１ａは、簡略化したフローチャートとしての本発明に係る方法のステップの一例を示す。使用される磁場のための測定装置は、例えば、磁気遮蔽室の内部に配置されるＭＥＧ測定装置であり、大きな一連の測定センサ、つまり、ＭＥＧ測定装置に接続される測定チャネルを有する。先ず、ステップ１１では、一連の測定センサの形状（配置及び位置）及び自然法則（電磁気のマックスウェルの方程式）に基づく計算上の分析がなされ、これは、上記で説明した従来の信号空間分離法（ＳＳＳ法）に対応する。このステップの結果、算出された基底ベクトルは、一連のセンサの内側の信号発生源及び一連のセンサの外側に対して得られる。すなわち、後に測定される磁場を示す場の成分は、二つの部分、つまり、一方が一連のセンサの内側のボリュームの発生源から展開される磁場のみを含み、他方が一連のセンサの外側から生じる干渉場の成分を含む級数展開に分離されうる。これらの場の成分は、算出された有益な信号基底及び算出された干渉信号基底によって現されうる。
【００５５】
この後、ステップ１２では、マルチチャネル磁場測定は、いわゆる空の部屋により含まれる磁場を求めるために、患者、つまり、測定される物体無しで行われる。このように、一般の干渉空間、つまり、患者の脳信号を除く他の全ての信号発生源は、一連の測定センサの領域における磁場を測定することにより求められる。ステップ１３では、測定によって、外部干渉に対応する信号基底は、測定結果から生成される。この後、Ａ  １１においてＳＳＳ法により得られたＮの長さの干渉ベクトル及びＢ  １２において空の部屋の測定により得られたＮの長さの干渉ベクトルは、検査のために分離されうる。先ず、ベクトルのノルム（幾何学的な長さ、つまり、拡張された意味における信号成分の振幅）は、Ｂ干渉ベクトルから検査され、それらの干渉ベクトルのみが、ノルムが所望の閾値を超える場合に、さらなる処理のために選択される。このように、実質的にゼロから外れる、つまり、干渉部分空間の成分が測定に非常に大きな影響を与えるそれらの成分のみが選択される。このスクリーニングの後、干渉基底Ｂの本質的な成分は、干渉基底Ａのベクトル１４と比較される。これは、ベクトル対の間での線形従属を検査することによりなされ、発見された場合、このようなベクトルは、共に合算され、冗長なベクトルは、干渉基底から除去される。上記の手法で処理することにより、干渉ベクトルの数は、低減されうるが、一連の干渉ベクトルにより含まれる情報内容は、低減されない。
【００５６】
上述した比較から、Ｂの数を元来含む、測定された干渉基底の部分空間、つまり、Ｃ干渉部分空間の線形従属な成分が結果として得られ、これは、１５において、Ａの数を含む算出された干渉ベクトルのセットへの補完として加えられうる。このように、上述した表記により、現実に対してより明確に対応する干渉空間、つまり、大きさ（Ｎ，  Ａ＋Ｃ）を有する行列が得られる。この後、１６において、磁場測定の分析は、望み通りに継続されうる。これは、例えば、最終的な結果として生体磁場が得られることを示す正確な信号情報のような従来技術としてＳＳＳ法の使用を継続することによりなされうる。これは、各場成分が展開される脳のそれらの位置についての正確な情報を得るためとして、このような手法で発生源モデリングを行うようにさらに継続されうる。最終的に、患者の状態に関する診断は、専門家による脳信号の位置及び強度情報から最善の状態で決定されうる。
【００５７】
図１ｂは、次に、本発明の第２の実施例をフローチャートの形態で示す。この例では、第１のステップ１１は、図１ａの例と同一である。この後、本発明の着想が用いられ、しかし、上記ではない他のタイプ、すなわち、どういうわけか、他のチャネルの干渉信号独立を含む、又はそうでなければ正常に機能しない、個々のチャネルを求めるために用いられる。ステップ１２’では、このようなチャネル及びそれによって表される正確でない干渉成分は、ここで、求められる。この後、いわゆる空の部屋の測定は、また、図１ａのステップ１２において、上記で説明したようになされうる。１３’では、測定チャネルで実際に現れる誤差信号と測定された外部干渉信号とが合計されたとき、合計干渉基底が生成されうる。このステップの後、１８において、ＳＳＳ信号部分空間の基底ベクトルをリスパン（ｒｅｓｐａｎ）することが好ましい。その後、図１ａと同様に、ステップ１４から１６を続けることが可能である。この処理では、不十分な個々の測定チャネルにより含まれる誤差は、外部干渉の場合のように検査から除去されうる。
【００５８】
図１ｃは、次に、一連のセンサの内側の調整と共に、干渉基底の調整を含む本発明の第３の実施例を示す。この例では、第１のステップ１１は、前述した実施形態と同一、つまり、二つの異なる信号基底は、先ず、ＳＳＳ法により生成される。この後、１２’’では、測定装置の一連のセンサが患者の頭部を囲むときに、実際の測定が行われうる。ここで、磁場についての情報は、実際の臨床測定に基づいて得られ、磁場の一部分は、外部干渉であり、それらの一部分は、脳から生じる生体磁気信号であり、その振幅（ａｍｐｌｉｔｕｄｅ）は、干渉よりも小さな数十の次数であってもよい。ステップ１３’’では、測定された信号は、有益な信号を含む信号基底、及び残り、つまり、外部干渉を含む信号基底に分けられうる。この後、図１ｂによる追加が、測定された干渉空間になされうる、つまり、不十分なチャネルの情報、又は不正確に動作するチャネルにより含まれる干渉成分は、１７において、含まれうる（このステップは基本的に図１ｂのステップ１２’と同様である）。このステップの後、図１ｂの例のように、１８において、ＳＳＳ信号基底のベクトルを再度張る（ｒｅｓｐａｎ）することが好ましい。
【００５９】
ここで、１３’’において、内部及び外部基底の測定された成分と共に、ステップ１１において、内部及び外部基底の算出された成分を有する。ステップ１４から１５の前述した例の工程に対応して、ここで、ステップ１９ａにおける有益な信号基底の調整、及びステップ１９ｂにおける外部干渉基底の調整の両方又は一方がなされる。このように、一連のセンサの内部及び外部基底は、必要な場合に、現実により好ましく対応するようなこのような手法で両方が調整されうる。最後に、１６において、信号の分析は、上述したように続けられうる。
【００６０】
図２ａは、次に、患者の頭部２３から生じる生体磁気信号が通常測定される状況におけるＭＥＧ測定のための構成を示す。実際のＭＥＧ装置２１は、測定チャネルとして機能するセンサ２２が遮蔽室２０の内側のヘルメット形状のセンサアセンブリ２２’として配置され、センサ２２から測定装置２１への接続が遮蔽室の壁を通じて伝えられるように、磁気遮蔽室の外側に配置されうる。本発明の一実施形態では、３０６個のセンサ、つまり、測定チャネルが存在する。当然ながら、他の個数の測定チャネルもまた使用することができる。測定は、上記で示したように行われ、支配的な信号を示す信号２４が結果として得られる。この状況では、センサ２２は、患者の頭部、患者の頭部又は例えば、心臓のような他の部位の可能な干渉発生源、及び他の外部干渉発生源から生じる対象となる信号を観測する。その結果、２４において、全ての測定された有益な信号成分及び全ての測定された内部及び外部干渉成分が得られる。
【００６１】
図２ｂは、次に、いわゆる空の部屋の場合、つまり、測定される離れた物体又は患者なしに対応する測定状況を示す。空部屋の測定は、実際の患者の測定の前又は後で行われることができ、測定構成に関連する他の変数がこれらの測定の間にできるだけ同じであることを維持することにできる限り注意を払う。装置は、図２ａと同様であり、磁気遮蔽室２０に配置されるセンサアセンブリ２２’と、遮蔽室の外側でデータ処理を行うＭＥＧ装置２１と、を含む。測定チャネルを通じて、ＭＥＧ装置は、ここで、遮蔽室（検査時の患者以外）の外側の発生源、遮蔽室自体又は遮蔽室の外側から生じる外部干渉発生源により生じうる全ての干渉信号についての情報を生成する。上記の得られた信号情報は、ベクトルのセット、つまり、行列形態として表現されうる。図２ｃは、次に、得られたベクトルのセット、つまり、行列のさらなる処理の一つの好ましい原理を示す。ステップ１１では、Ｎ  ＊  Ａの大きさを有する、算出された干渉信号行列が求められ、ステップ２４又は２５では、Ｎ＊Ｂの大きさを有する測定ベースの干渉信号行列が求められる。次に、Ａ  算出されたベクトルは、Ｂ  測定されたベクトルと比較される。２６ａでは、Ｂ  測定されたベクトルから、これらの重要な成分、つまり、ほとんどゼロから外れ、これは、Ａベクトルが選ばれることにより既に求められた干渉部分空間を調整する。非常に新規な干渉成分のサーチであるステップ２６ａは、また、新規な干渉成分がベクトルセットＡに一次従属であることを含む。必要な場合には、一次従属ベクトルは、合計基底が生成されるときに、合計される。ステップ２７ａの最終的な結果のように、調整された干渉空間を示す新たな行列が得られ、大きさはＮ＊Ｃであり、ここで、Ａ≦Ｃ≦Ａ＋Ｂとなる。このように、ステップ２７ａにおける実際の干渉を非常に正確に示す一連の干渉信号が得られ、ここで、信号処理は、ステップ２８において、希望通りに続けられうる。
【００６２】
図２ｃは、本発明の取り得る第２の実施形態を破線で示し、ここで、示された着想は、また、有益な信号基底、つまり、内部基底の調整に適用される。この場合、ＳＳＳ法により生成された有益な信号の生成された部分空間及び測定から得られた有益な信号の部分空間は、検査時に取り込まれる。算出された内部基底が性格に現実と対応していないため、算出された基底に存在しない成分は、２６ｂにおいて、測定された内部基底から検索される。この後、ＳＳＳから得られた算出された基底は、新たな成分で補完されうる。同時に、支配的な成分は、合計された基底のベクトルが、結合の後に互いに一次独立であるように、結合される。現実により対応させるための干渉基底の上述した調整は、実際にはより大きくなるが、この原理による内部基底の調整もまた問題になりうる。外部及び／又は内部基底に対する調整がステップ２７ａ−ｂでなされたとき、信号処理及び分析は、ステップ２８において、例えば、ＳＳＳ法から既知の手段により、正常に続けられうる。
【００６３】
図３ａ及び３ｂは、３次元のｘｙｚ座標で示されるような例によるＭＥＧ測定結果での本発明の効果を示す。測定された信号を示すベクトルは、実際にはＮ次元（ＮはＭＥＧ装置のチャネルの数）であるが、この例でのベクトルは、３次元座標に切り捨てられており、ベクトル点は、明確さの向上のために二次元平面に投影されている。測定された信号が上述した手法で処理されるとき、有益な脳信号を示す信号ベクトルが求められ、“Φ＿ｂｒａｉｎ＿ｓｉｇｎａｌ”のように図で示される。それに応じて、干渉発生源により生じ、かつＳＳＳ法により分離された、算出された場の部分は、“Φ＿ｉｎｔｅｒｆ＿ＳＳＳ＿ｃａｌｃ”として示される。上述した二つの信号点の相互の振幅（ｍｕｔｕａｌ  ａｍｐｌｉｔｕｄｅ）比は、示唆的なだけであり、これは、実際の測定状況での干渉信号が有益な信号よりも数十程度大きいためである。図の下部の点は、ｘｙ面に射影されたときの信号部分空間の射影点を示す。
【００６４】
信号部分空間での本発明の効果は、ベクトル“Φ＿ｉｎｔｅｒｆ＿ｒｅａｌ”により簡素な手法で示されうることである。この新たなベクトルは、ステップ２６ａ及び２７ａによって図２ｃで示される。このベクトルは、本発明により調整された部分空間を示し、干渉ベクトルΦ＿ｉｎｔｅｒｆ＿ＳＳＳ＿ｃａｌｃよりも実際の状況に近い状態を示す。本発明の効果は、よって、調整、つまり、追加の成分が、例えば、空の部屋の測定又は不十分に機能するチャネルを求めることによる干渉に対して算出又は求められ、そのベクトルは、代数的に表され：
【数１１】
0005894156.tif 000012
【００６５】
この追加の成分は、元の算出された干渉部分空間ベクトルに合算され、それにより、調整された干渉部分空間を得る。
【数１２】
0005894156.tif 000013
【００６６】
最後に、所望のさらなる計算は、特に、干渉場ベクトルとしてΦ＿ｉｎｔｅｒｆ＿ｒｅａｌを用いて行われる。追加した成分の“方向”は、基本的には任意であり、つまり、従来の射影方法との実質的な違いは、任意の特定の実質的な干渉の“方向”であること、又は最も大きな干渉成分は、測定された信号全体から除去されないが、全体の干渉空間の振幅及び方向は、実際の測定、つまり、例えば、空の部屋の測定に基づいて変更される。
【００６７】
図３ｂは、次に、ベクトルにより示される、図２ｃの破線で示される実施形態の分岐に対応する実装を示す。ここで、検査の物体は、内部基底、つまり、有益な信号により形成される信号部分空間である。内部基底の一部がＳＳＳ処理の後に分離されてからの測定結果は、ベクトル“Φ＿ｂｒａｉｎ＿ｓｉｇｎａｌ＿ｃａｌｃ”により図３ｂに表される。この後、図２ｃの上述した実施形態のステップ２６ｂから２６ｂは、振幅及び方向について変更した有益な信号部分空間により示されることができ、簡素化されたベクトル“Φ＿ｂｒａｉｎ＿ｓｉｇｎａｌ＿ｒｅａｌ”により表される。図３ｂの状況は、検査時での個別の期間を示すのみであり、これは、実際の状況が動的に連続的に変化するためである。最終的な結果として、この実施形態での調整された信号ベクトルが得られ、その数式は以下のように示される：
【数１３】
0005894156.tif 000014
【００６８】
変更された有益な信号及び／又は干渉信号基底のためのさらなる処理は、この所望の手法、例えば、さらなるＳＳＳ法による処理の後になされうる。
【００６９】
本発明のために提示される方法のステップは、ＭＥＧ装置のデータ処理ロジック、つまり、通常、装置のプロセッサで実行されうるコンピュータプログラムとして適用可能な部分で実行されうる。この装置は、メモリ又は他の記憶媒体を含んでもよく、コンピュータプログラム、データ入力及び方法により要求される他のパラメータ及び測定から得られる結果は、記憶されうる。
【００７０】
本発明は、上記に示した例示的な実施形態にだけ限定されず、特許請求の範囲により規定される発明の着想の範囲内で多くの変更が可能である。
【図１ａ】
0005894156.tif 000015
【図１ｂ】
0005894156.tif 000016
【図１ｃ】
0005894156.tif 000017
【図２ａ】
0005894156.tif 000018
【図２ｂ】
0005894156.tif 000019
【図２ｃ】
0005894156.tif 000020
【図３ａ】
0005894156.tif 000021
【図３ｂ】
0005894156.tif 000022